(57)【特許請求の範囲】
【請求項１】
渦巻状のケーシングを有する遠心形送風機において、前記ケーシングの吹出口と反対方向の吸込口外周部に位置し、吸込み流れを送風機軸方向に整流する吸込み方向変更片を備えたことを特徴とする遠心形送風機。
【請求項２】
両面吸込口を有し、左右シロッコファンのボス部に圧力バランス用の圧力バランス穴を設けたことを特徴とする請求項１記載の遠心形送風機。
【請求項３】
湾曲した吸込みベルマウスを有し、シロッコファン端部に位置するシロッコファン保持リング部近傍から、吸込口を有するケーシング側面部まで曲面状の整流片を設けたことを特徴とする請求項１記載の遠心形送風機。
【発明の詳細な説明】
【０００１】
【発明の属する技術分野】
本発明は空気調和機等に使用される遠心形送風機に関するものである。
【０００２】
【従来の技術】
従来の一般的な遠心形送風機の構成を図７を用いて説明する。ボス部５と保持リング６の間に回転軸と平行に配列された翼を持つシロッコファン１を、吸込みベルマウス３を備えた渦巻き状ケーシング２の中に収納し、モータ４で駆動する。
【０００３】
また、従来の最も基本となる遠心形送風機として実開昭５７−１３４３９８号公報に記載されたものがある。これは、図８に示すように渦巻き状ケーシング２の吸込口を有する面上に複数個のガイドベーンを設け、吸込み流れが整然と流れるようにしたものである。
【０００４】
【発明が解決しようとする課題】
従来の遠心形送風機は以上のように構成されているので、吸込みベルマウスより流入した空気はシロッコファン軸方向においてファン流入風速分布にかたよりがあった。この結果、風量低下につながり、また、翼間通過時の騒音が悪化するという問題点があった。
【０００５】
また、両面吸込みの構成では、吸込み圧損が両側で異なっているとき、２つのシロッコファン内部に圧力差が生じる。この結果、シロッコファン出口において吹出し風速分布が左右不均一になり風量低下につながり、また、このシロッコファン内部の圧力差により左右ファンからの吹出し合流部が乱れ、騒音が悪化するという問題点があった。
【０００６】
また、円弧状に湾曲した吸込みベルマウス裏側でシロッコファンより吹き出した流れが激しく乱れ、騒音が悪化するという問題点があった。
【０００７】
この発明は上記のような問題点を解消するためになされたもので、風速分布を均一にすることで大風量を得ることができるとともに、低騒音化できる遠心形送風装置を得ることを目的とする。
【０００８】
【課題を解決するための手段】
請求項１の遠心形送風機は、渦巻状のケーシングを有する遠心形送風機において、ケーシングの吹出口と反対方向の吸込口外周部に位置し、吸込み流れを送風機軸方向に整流する吸込み方向変更片を備えたことを特徴とする。
【０００９】
請求項２の遠心形送風機は、請求項１記載のものにおいて、両面吸込口を有し、左右シロッコファンのボス部に圧力バランス用の圧力バランス穴を設けたことを特徴とする。
【００１０】
請求項３の遠心形送風機は、請求項１記載のものにおいて、湾曲した吸込みベルマウスを有し、シロッコファン端部に位置するシロッコファン保持リング部近傍から、吸込口を有するケーシング側面部まで曲面状の整流片を設けたことを特徴とする。
【００１１】
【発明の実施の形態】
実施の形態１．
以下、この発明の実施の形態１を図１、図２、図３に基づいて説明する。なお、従来例と同一部分は同一符号を付し説明を省略する。ボス部５と保持リング６の間に回転軸と平行に配列された翼を持つシロッコファン１を吸込みベルマウス３を備えた渦巻き状ケーシング２の中に収納されている。この渦巻き状ケーシング２の吸込口周辺の一部に吸込み方向変更片７が設けられている。
【００１２】
従来の吸込み流れは図２の矢印Ａで示すように、吸込みベルマウス３の円弧面上に沿って流入し、この円弧面上の流れによる遠心力でシロッコファン中心部方向の流れになる。そして、保持リング６を通過してからシロッコファンの半径方向に９０°向きを変える流れとなる。このとき、吸込口全周よりの流れはシロッコファン軸方向においてファン流入位置が保持リング６から離れた位置に集中し、ファン流入風速分布が不均一であった。
【００１３】
しかしながら、吸込み方向変更片７による流れは実線矢印Ｂで示すように、吸込み方向変更片７の直線部でシロッコファン軸方向に整流され、円弧面上の流れによる遠心力の影響がなって保持リング６付近にて半径方向に９０°向きを変える流れとなる。このとき、吸込口に吸込み方向変更片７のないところでは従来矢印Ａの流れと同等になるためシロッコファン軸方向においてファン流入位置が異なり、ファン流入風速分布が従来より均一になる。
【００１４】
したがって、シロッコファン軸方向においてのファン流入風速分布が均一化することで翼間通過風速が減少し、低騒音化が達成される。
【００１５】
この吸込み方向変更片７は吹出口と反対方向の吸込み外周部に位置し、大きさは吸込み周辺部６０°〜１２０°であり、５ｍｍ〜３０ｍｍの幅である。形状は図３のような変形例がある。
【００１６】
実施の形態２．
以下、この発明の実施の形態２を図４に基づいて説明する。なお、従来例と同一部分は同一符号を付し説明を省略する。ボス部５と保持リング６の間に回転軸と平行に配列された翼を持つシロッコファン１を吸込みベルマウス３を備えた渦巻き状ケーシング２の中に収納されている。このボス部５に圧力バランス用の複数個の圧力バランス穴８が設けられている。
【００１７】
従来のボス形状では吸込み圧力損失が両側で大きく異なっているとき、左右のファン吹出し風速差が生じ、風速の大きい方へと流れが引かれ、ますます風速差がつくことになる。このため、風速差の大きい流れが合流するところで騒音が発生しており、またシロッコファン出口よりの吹き出し風速分布が不均一のために送風効率が悪化していた。
【００１８】
しかしながら、ボス部に圧力バランス穴８を設けると流れが圧力の高い方から低い方へと圧力バランス穴８を通って左右のファン内部の圧力を均一にする。このため、左右のファン吹出し風速差が小さくなる。
【００１９】
したがって、シロッコファン出口においての吹出し風速分布が左右均一になるのとで送風効率が向上し、左右ファンからの吹出し合流部が乱れも少なくなることで低騒音化が達成される。
【００２０】
実施の形態３．
以下、この発明の実施の形態３を図５に基づいて説明する。なお、従来例と同一部分は同一符号を付し説明を省略する。ボス部５と保持リング６の間に回転軸と平行に配列された翼を持つシロッコファン１を吸込みベルマウス３を備えた渦巻き状ケーシング２の中に収納されている。この保持リング部６からケーシング２の吸込口を有する側面部まで曲面の整流片９が設けられている。
【００２１】
従来の保持リング６付近のファン吹出し流れは図５の矢印Ａで示すように、吸込みベルマウス３裏側の空間にて流れが不安定になり乱れていた。しかしながら、整流片９による流れは矢印Ｂで示すように整流片９にそって流れ、安定した流れとなり乱れが減少する。
【００２２】
したがって、円弧状に湾曲した吸込みベルマウス３裏側での流れの乱れによる騒音が低減できる。
【００２３】
この整流片９は保持リング６側面よりもケーシング内部に一体で位置しており、形状は図６に示すような変形例がある。
【００２４】
【発明の効果】
請求項１の遠心形送風機は、渦巻状のケーシングを有する遠心形送風機において、ケーシングの吹出口と反対方向の吸込口外周部に位置し、吸込み流れを送風機軸方向に整流する吸込み方向変更片を備えた構成にしたので、送風機軸方向において流入風速分布が均一化することで翼間通過風速が減少し、低騒音化を達成できる。
【００２５】
請求項２の遠心形送風機は、請求項１記載のものにおいて、両面吸込口を有し、左右シロッコファンのボス部に圧力バランス用の圧力バランス穴を設けたので、シロッコファン出口においての吹き出し風速分布が左右均一になることで送風効率が向上し、左右ファンからの吹き出し合流部が乱れも少なくなることで低騒音化を達成できる。
【００２６】
請求項３の遠心形送風機は、請求項１記載のものにおいて、湾曲した吸込みベルマウスを有し、シロッコファン端部に位置するシロッコファン保持リング部近傍から、吸込口を有するケーシング側面部まで曲面状の整流片を設けたので、吸込みベルマウス裏側の空間の流れが安定する。
【図面の簡単な説明】
【図１】この発明の実施の形態１による遠心形送風機の斜視図である。
【図２】この発明の実施の形態１による遠心形送風機の縦断面図である。
【図３】この発明の実施の形態１の変形例による遠心形送風機の縦断面図である。
【図４】この発明の実施の形態２による遠心形送風機のボス部の斜視図である。
【図５】この発明の実施の形態３による遠心形送風機の縦断面図である。
【図６】この発明の実施の形態３の変形例による遠心形送風機の縦断面図である。
【図７】従来の遠心形送風機の斜視図である。
【図８】他の従来の遠心形送風機の斜視図である。
【符号の説明】
１  シロッコファン、２  渦巻き状ケーシング、３  吸込みベルマウス、５  ボス、６  保持リング、７  吸込み方向変更片、８  圧力バランス穴、９  整流片。
【図１】
0003607769.tif 000002
【図２】
0003607769.tif 000003
【図３】
0003607769.tif 000004
【図４】
0003607769.tif 000005
【図５】
0003607769.tif 000006
【図６】
0003607769.tif 000007
【図７】
0003607769.tif 000008
【図８】
0003607769.tif 000009